(57)【特許請求の範囲】
【請求項１】
微少な外殻と、該外殻に内蔵されたＣＰＵと、前記ＣＰＵに入出力回路を介して接続し前記外殻に内蔵され前記ＣＰＵからの電気信号により駆動され身体に作用させるための熱エネルギー、電磁気、磁気、電界、超音波の中のいずれかを前記外殻の外に出力する駆動部と、前記ＣＰＵに入出力回路を介して接続し所要の信号を検出する前記外殻に内蔵された検出部とで情報処理装置を構成し、前記情報処理装置を多数繊維体に埋設し、該繊維体を縦横に組み合わせて織物を構成し、前記駆動部が発熱体、電磁気発生体、磁気発生体、電界発生体、超音波発生体の中のいずれかであることを特徴とする多数の微少情報処理装置を内蔵した織物。
【請求項２】
前記検出部が前記外殻表面の温度、前記外殻のひずみ、外部からの超音波信号、電磁気、磁気、電界信号の中のいずれかを検出する機能を備え、該検出信号を前記ＣＰＵに出力する機能を有することを特徴とする請求項１に記載の多数の微少情報処理装置を内蔵した織物。
【請求項３】
前記外殻にアンテナを内蔵し、該アンテナを前記ＣＰＵに入出力回路を介して接続したことを特徴とする請求項１に記載の多数の微少情報処理装置を内蔵した織物。
【請求項４】
前記アンテナと、前記駆動部と、前記検出部とがそれぞれ１個の外殻の中に複数配置されていることを特徴とする請求項３に記載の多数の微少情報処理装置を内蔵した織物。
【発明の詳細な説明】
【技術分野】
【０００１】
本発明は、身体に着装可能で身体の所要の情報を取得することができ、取得した情報に基づいて身体に所要の信号を付与することができるようにした、多数の微少情報処理装置を内蔵した織物に関する。
【背景技術】
【０００２】
従来、センサー、マイクロコンピュータを装着し情報処理機能を具備した衣服が知られている（例えば特許文献１参照）。
【特許文献１】特開２００７−５６３９０号公報
【発明の開示】
【発明が解決しようとする課題】
【０００３】
本発明の主たる目的は、身体の情報を取得でき、且つ取得した情報に基づいて身体に熱刺激などの信号を付与でき、しかも内部の微少コンピュータが他のコンピュータとワイヤレスなデータネットワークを構築できるようにした多数の情報処理装置を内蔵した織物を提供し、該織物を種々の用途に利用できるようにすることである。
【課題を解決するための手段】
【０００４】
上記目的を達成するため本発明は、微少な外殻と、該外殻に内蔵されたＣＰＵと、前記ＣＰＵに入出力回路を介して接続し前記外殻に内蔵され前記ＣＰＵからの電気信号により駆動され所要の信号を前記外殻の外に出力する駆動部と、前記ＣＰＵに入出力回路を介して接続し所要の信号を検出する前記外殻に内蔵された検出部とで情報処理装置を構成し、前記情報処理装置を多数繊維体に埋設し、該繊維体を縦横に組み合わせて織物を構成したことを特徴とする。
また本発明は、前記駆動部が発熱体、電磁気発生体、磁気発生体、電界発生体、超音波発生体の中のいずれか１つであることを特徴とする。
また本発明は、前記検出部が前記外殻表面の温度、前記外殻のひずみ、外部からの超音波信号、電磁気、磁気、電界信号の中のいずれか１つを検出し、該検出信号を前記ＣＰＵに出力する機能を有することを特徴とする。
また本発明は、前記外殻にアンテナを内蔵し、該アンテナを前記ＣＰＵに入出力回路を介して接続したことを特徴とする。
また本発明は、前記アンテナと、前記駆動部と、前記検出部とがそれぞれ１個の外殻の中に複数配置されていることを特徴とするものである。
【発明の効果】
【０００５】
本発明は、情報処理機能を有する織物をサポータや衣服、包装物等に加工し、身体等に着装することで、簡単に被着装体の情報を得ることができ、その情報に対応する治療用等の信号を駆動部から被着装体に発射することができる。
【発明を実施するための最良の形態】
【０００６】
以下に本発明の実施の形態を添付した図面を参照して詳細に説明する。
図２は、本発明に使用される情報処理装置２の内部構造を示している。情報処理装置２の外殻４はプラスチック材により構成され、該外殻４は、本実施形態では、中空の球状に形成されている。
【０００７】
外殻４の内部には、半導体チップ構成のセンター部６が内蔵され、外殻４の内周面に面した部分にはアレイアンテナ８と、複数の駆動部１０と、複数の検出部１２とが配置されている。前記センター部６は、１個のＣＰＵ１４と、複数の入出力回路１６と、複数の記憶装置１８と、複数の充電型のマイクロ電池２０とから構成されている。
【０００８】
前記アレイアンテナ８は、磁気信号、電界信号、電磁波信号及び超音波信号の中のいずれか１つを発振し且つ受信して電気信号に変換する機能を備えている。本実施形態では、複数のアレイアンテナ８は、それぞれ異なった機能を備えている。前記駆動部１０は、発熱体、電磁気発生体、磁気発生体、電界発生体、超音波発生体の中のいずれか１つの駆動体から成り、該駆動部１０は、ＣＰＵ１４からの駆動信号によって、身体の患部に作用する、熱エネルギーや、電磁気信号や、磁気信号や、電界信号や、超音波信号を発射する機能を有している。
【０００９】
前記検出部１２は、外殻４表面の温度、外殻４のひずみ、外部からの超音波信号、電磁気信号、磁気信号、電界信号のいずれかを検出し、該検出信号をセンター部６にデータとして送る機能を有している。外殻４内の複数の検出部１２は、それぞれ、上記機能の中の、いずれか１つを備えている。前記アレイアンテナ８、駆動部１０及び検出部１２は、それぞれリード線を介して、センター部６の入出力回路１６に接続している。
【００１０】
前記情報処理装置２は、ナノテクを用いた技術により製造され、微少な、例えば１／１００ｍｍの径の球体を構成し、またこのサイズに応じて、内部の各構成要素のサイズが設定されている。また、情報処理装置２は、合成樹脂製の繊維体２２に、略等間隔を存して、所定の高密度で配置埋設されている。この情報処理装置２が配置埋設された多数の繊維体２２は、縦横に組み合わされて織物２４を構成している。
【００１１】
前記各織物２４に高密度で点在配置された情報処理装置２のＣＰＵ１４は、そのメモリにユニークＩＤを持ち、各情報処理装置２の識別を可能にしている。各情報処理装置２のセンター部６の記憶装置１８には、通信プログラムが格納され、これにより、情報処理装置２は、図１に示すように、アレイアンテナ８を通じて、他の情報処理装置２と相互にデータの送受信を行うことができ、データネットワークが構築できるように構成されている。
【００１２】
次に、情報処理装置２が内部に高密度で点在配置された織物２４を、一枚または複数枚重ねて、身体のつぼを温める治療用衣服として使用する実施形態について説明する。
織物２４は、人の肌に部分的あるいは全身を覆うことができるように、サポーター状あるいは下着状に縫製加工される。図５は、人の腕２６に、サポーター状に加工された織物２４が巻かれている状態を示している。
【００１３】
身体の一部に装着した織物２４の、情報処理装置２には、図６に示すように、電源供給調整器２６，電気・磁気変換器２８を通じて、電力用の誘導磁気信号が供給される。情報処理装置２は誘導磁気信号をアレイアンテナ８で受信し、電気信号に変換する。ＣＰＵ１４は、この電気信号を電池２０に供給し、電池２０を充電する。
【００１４】
電気・磁気変換器２８から電力エネルギーが供給された情報処理装置２は、電池２０の電力を電磁気信号に変換し、アレイアンテナ８を介して、他の情報処理装置２に送出する。この電磁気信号は他の情報処理装置２に電気信号として取り込まれ、この電気信号によって、他の情報処理装置２の電池２０が充電される。
【００１５】
治療用として、コントローラ３０が用意され、該コントローラ３０の入出力部に検出装置３２と、駆動装置３４が接続されている。コントローラ３０は、ユーザーインターフェイスを構成し、本実施形態では、各情報処理装置２の発熱体からなる駆動部１０を制御して、患部を所望の温度に設定するための、温度制御用のコントローラが使用されている。このコントローラ３０には、身体の温度分布に基づいてつぼの位置を認識し、このつぼを加熱するためのマッサージ用プログラムが格納されている。
【００１６】
上記した構成において、ユーザーは、コントローラ３０のダイヤル３６を操作して、身体のつぼを加熱する所望の温度を設定する。駆動装置３４を、身体を覆う織物２４に接近させると、設定温度情報が、駆動装置３４から、変調された電磁気信号として出力され、この電磁気信号は、その近傍の情報処理装置２のアレイアンテナ８に受信される。
【００１７】
駆動装置３４近傍の情報処理装置２のＣＰＵ１４は、アレイアンテナ８からの入力信号に基づいて、患部の加熱温度を設定する。また、駆動装置３４近傍の情報処理装置２のＣＰＵ１４に設定された温度情報は、アレイアンテナ８を通じて、他の情報処理装置２の伝送される。身体を覆う織物２４の各情報処理装置２は、検出部１２を通じて、肌の温度を検出し、各情報処理装置２で検出された温度情報は、各情報処理装置２をアレイアンテナ８で結ぶデータネットワークと、検出装置３２を通じて、コントローラ３０に入力される。
【００１８】
コントローラ３０は、各情報処理装置２のデータネットワークから取得した温度情報に基づいて、身体のつぼの位置を認識し、つぼに位置する各情報処理装置２の発熱体からなる駆動部１０に駆動信号を送り、駆動部１０を発熱させてつぼを加熱する。身体の加熱されたつぼの温度は、検出部１２によって検出され、この検出された温度は、入出力回路１６を介して、記憶装置１８に記憶されるとともに、ＣＰＵ１４の制御により、アレイアンテナ８を通じて外部に発信される。
【００１９】
アレイアンテナ８から発信された各情報処理装置２の温度情報は、情報処理装置２間のデータネットワークと、検出装置３２を介してコントローラ３０にフィードバック信号として入力される。コントローラ３０は、このフィードバック信号に基づいて、つぼに対する加熱温度を設定温度に自動制御する。
尚、本発明は、身体のつぼを加熱して、身体のマッサージを行う実施形態の外に種々の用途に利用することが可能であり、特に上記実施形態に限定されるものではない。
【図面の簡単な説明】
【００２０】
【図１】本発明の説明図である。
【図２】本発明の説明図である。
【図３】本発明の説明図である。
【図４】本発明の説明図である。
【図５】本発明の説明図である。
【図６】本発明の説明図である。
【符号の説明】
【００２１】
２      情報処理装置
４      外殻
６      センター部
８      アレイアンテナ
１０    駆動部
１２    検出部
１４    ＣＰＵ
１６    入出力回路
１８    記憶装置
２０    電池
２２    繊維体
２４    織物
２６    電源供給調整器
２８    電気・磁気変換器
３０    コントローラ
３２    検出装置
３４    駆動装置
３６    ダイヤル
【図１】
0005234576.tif 000002
【図２】
0005234576.tif 000003
【図３】
0005234576.tif 000004
【図４】
0005234576.tif 000005
【図５】
0005234576.tif 000006
【図６】
0005234576.tif 000007